(57)【要約】    【課題】感熱体の易融性物質に火災熱が効率良く伝達されて作動遅れを低減し、更に、環境に優しい構成とする。    【解決手段】閉鎖型スプリンクラーヘッドの感熱体１６は、両端に通し穴を備えた中空円筒体を外側面の一部を各々含むように分割した分割ケーシングを有し、分割ケーシングの間に易融性物質２０の周囲を包み込んだ状態で挟み込む組立構造ととしている。感熱体１６は、分割ケーシングにおける外側面の端部の各々に扇形の集熱フィン１９ａ，１９ｂを一体に形成している。易融性物質２０は、５０℃乃至１５０℃の間に融点をもつ低融点合金、無機化合物又は有機化合物を断面矩形の略ドーナッツ形状に成形している。    【選択図】      図１
2005304887.tif 000002
【特許請求の範囲】
【請求項１】
火災熱による易融性物質の溶融により作動して放水を開始させる感熱体を備えた閉鎖型スプリンクラーヘッドに於いて、
前記感熱体は、
両端に通し穴を備えた中空円筒体をと外側面の一部を各々含むように分割した分割ケーシングを有し、
前記分割ケーシングの間に前記易融性物質の周囲を包み込んだ状態で挟み込む組立構造としたことを特徴とする閉鎖型スプリンクラーヘッド。
【請求項２】
請求項１記載の閉鎖型スプリンクラーヘッドに於いて、前記感熱体は、
前記分割ケーシングにおける外側面の端部の各々に扇形の放熱フィンを一体に形成したことを特徴とする閉鎖型スプリンクラーヘッド。
【請求項３】
請求項１記載の閉鎖型スプリンクラーヘッドに於いて、前記易融性物質は、５０℃乃至１５０℃の間に融点をもつ低融点合金、無機化合物又は有機化合物を断面矩形の略ドーナッツ形状に成形した成形体であることを特徴とする閉鎖型スプリンクラーヘッド。
【請求項４】
請求項１記載の閉鎖型スプリンクラーヘッドに於いて、前記易融性物質は、５０℃乃至１５０℃の間に融点があり、長期間安定で毒性が低く、反応性の高い官能基や毒性を示す官能基がなく、水に溶解せず且つ昇華性がない無機化合物であることを特徴とする閉鎖型スプリンクラーヘッド。
【請求項５】
請求項４記載の閉鎖型スプリンクラーヘッドに於いて、前記無機化合物は、ニヨウ化ニセレン又は三塩化ガリウムであることを特徴とする閉鎖型スプリンクラーヘッド。
【請求項６】
請求項１記載の閉鎖型スプリンクラーヘッドに於いて、前記易融性物質は、５０℃乃至１５０℃の間に融点があり、長期間安定で毒性が低く、反応性の高い官能基や毒性を示す官能基がなく、水に溶解せず且つ昇華性がない有機化合物であることを特徴とする閉鎖型スプリンクラーヘッド。
【請求項７】
請求項６記載の閉鎖型スプリンクラーヘッドに於いて、前記有機化合物は、
α−モノステアリン、
β−モノステアリン、
α−モノパルミチン、
β−モノパルミチン、
２’−メトキシアセトアセトアニリド、
４−（１−メチル−１−フェニルエチル）フェノール、
ベンゾインイソプロピルエーテル、
ベンゾインエチルエーテル、
ステアリルリン酸、
チオジプロピオン酸ジステアリル、
トリフェニル、
トリフェニルホスフィン、
Ｎ−ベンジルアセトアミド、
トリアコンタン、
酢酸２−ナフチル、
オレイン酸亜鉛、
オレイン酸アミド、
インドリジン、
イソフタル酸ジメチル、
安息香酸エチレン、
安息香酸フェニル、
ｐ−ｔｅｒｔ−ブチルフェニルサリシレート、
ｐ−オクチルフェニルサリシレート、
２−ヒドロキシ−４−メトキシベンゾフェノン、
２，２’−ジヒドロキシ−４−メトキシベンゾフェノン、
２，６−ジ−ｔ−ブチル−４−メチルフェノール、
から選ばれた単体或いはこれらの混合物であるか、又は、
ポリメタクリル酸エチル、
ポリメタクリル酸−ｓｅｃ−ブチル、
クロマン・インデン共重合物、
ジ−ｎ−オクチルスズマレイン酸ポリマー、又は
アルキルフェノールホルムアルデヒド樹脂
から選ばれた合成高分子であることを特徴とする閉鎖型スプリンクラーヘッド。
【発明の詳細な説明】
【技術分野】
【０００１】
本発明は、火災熱による易融性物質の溶融により作動して放水を開始させる感熱体を備えた閉鎖型スプリンクラーヘッドに関する。
【背景技術】
【０００２】
従来、この種の閉鎖型スプリンクラーヘッドにあっては、火災の熱気流を受けた際に、感熱体に設けている易融性金属が溶融することにより感熱体が熱分解してバルブを開くと同時にデフレクターを下方に落下させて消火用水を放水させるようにしている。この感熱体に設けられる易融性金属としては、通常、火災感知に必要な所定の温度を融点とする低温半田を使用している。
【０００３】
図８は従来の閉鎖型スプリンクラーヘッドの断面図である。図８において、閉鎖型スプリンクラーヘッドは、ホディ１０１とフレーム１０２で構成される。ボディ１０１は上部に給水管に接続する配管接続ネジ１０３を設けられ、内部にノズル１０４を形成している。ボディ１０１は下部に開口し、フレーム１０２をねじ込み固定している。
【０００４】
この組立状態で、デフレクター１０５を一体に備えた弁体１０６がノズル１０４の開口部を閉鎖する位置に配置され、パッキン１０７によりシールしている。デフレクター１０５は、周囲に放射状に分かれた水拡散部を複数備え、その外周側にデフレクターシャフト１０８を装着し、デフレクターシャフト１０８は延長ガイド１０９に挿入され、上部にストッパ１０８ａを形成している。
【０００５】
ホディ１０１とデフレクター１０５の間には作動バネ１１０を組み込んでいる。フレーム１０２の開口側には感熱作動部１１１が設けられる。感熱作動部１１１は、スライダ１１２、バランサ１１４、ボール１１３及び感熱体１１６で構成され、弁体１０６を図示の閉鎖位置に保持した状態でフレーム１０２に組込み固定される。
【０００６】
ここで感熱体１１６は、断熱リング１１７、集熱フィン１１９を一体に備えたシリンダ状のケーシング１１８、易融性物質１２０及びシャフト１２１を備えた組立体として予め準備されており、ボール１１３を介してフレーム１０２側にスライダ１１２及びバランサ１１４を組み込んだ後にシャフト１２１のナット１２２に対するネジ込みにより取付固定される。
【０００７】
図７の閉鎖型スプリンクラーヘッドの動作は次のようになる。閉鎖型スプリンクラーヘッドは、弁体１０６がノズル１０４を閉鎖した状態でスプリンクラー消火設備の給水管に接続されており、この状態で火災による熱気流を受けると、所定温度に達した時に感熱体１１６の易融性物質１２０が溶け、バランサ１１４が下降する。
【０００８】
このため、ボール１１３のフレーム１０２への支持がなくなり、スライダ１１２，バランサ１１４、更に感熱体１１６が脱落する。これによって弁体１０６の閉鎖状態の支持が解除され、流入路であるノズル１０４に加わっている消火用水の水圧、及び作動バネ１１０の力で、弁体１０６及びデフレクター１０５が落下し、ノズル１０４を開いて消火用水を放水する。
【０００９】
下側に落下したデフレクター１０５は、デフレクターシャフト１０８のストッパ１０８ａが延長ガイド１０９の下部に当って止まる位置で停止してフレーム１０２の開口部から下方にデフレクター１０５を露出させ、このデフレクター１０５にノズル１０４から放出した消火用水が当たって周囲に消火用水を散水する。
【特許文献１】特開２０００−１７６０４３号公報
【発明の開示】
【発明が解決しようとする課題】
【００１０】
しかしながら、このような従来の閉鎖型スプリンクラーヘッドにあっては、易融性物質１２０がシリンダ状のケーシング１１８の中に配置され、シャフト１２１により挟持する構造となっていたため、集熱フィン１１９からの火災の熱気流により受けた熱がケーシング１１８側からしか易融性物質１２０に伝わらず、このため感熱作動が遅くなり、スプリンクラーヘッドの作動放水するまでに火災が拡大してしまうという問題点があった。
【００１１】
また感熱体１１６に易融性物質１２０として使用されている低温半田にあっては、例えば７２℃の融点をもつものにあっては鉛ＰｂやカドニウムＣｄが成分として含まれており、環境に有害であるという問題があった。
【００１２】
本発明は、感熱体の易融性物質に火災熱が効率良く伝達されて作動遅れを低減し、更に、環境に優しい閉鎖型スプリンクラーヘッドを提供することを目的とする。
【課題を解決するための手段】
【００１３】
この目的を達成するため本発明は次のように構成する。本発明は、火災熱による易融性物質の溶融により作動して放水を開始させる感熱体を備えた閉鎖型スプリンクラーヘッドに於いて、感熱体は、両端に通し穴を備えた中空円筒体を外側面の一部を各々含むように分割した分割ケーシングを有し、分割ケーシングの間に易融性物質の周囲を包み込んだ状態で挟み込む組立構造としたことを特徴とする。ここで感熱体は、分割ケーシングにおける部分外側面の端部の各々に扇形の放熱フィンを一体に形成している。
【００１４】
易融性物質は、５０℃乃至１５０℃の間に融点をもつ低融点合金、無機化合物又は有機化合物を断面矩形の略ドーナッツ形状に成形した成形体である。
【００１５】
易融性物質は、５０℃乃至１５０℃の間に融点があり、長期間安定で毒性が低く、反応性の高い官能基や毒性を示す官能基がなく、水に溶解せず且つ昇華性がない無機化合物である。無機化合物は、ニヨウ化ニセレン又は三塩化ガリウムである。
【００１６】
易融性物質は、５０℃乃至１５０℃の間に融点があり、長期間安定で毒性が低く、反応性の高い官能基や毒性を示す官能基がなく、水に溶解せず且つ昇華性がない有機化合物である。
【００１７】
この有機化合物としては、
α−モノステアリン、
β−モノステアリン、
α−モノパルミチン、
β−モノパルミチン、
２’−メトキシアセトアセトアニリド、
４−（１−メチル−１−フェニルエチル）フェノール、
ベンゾインイソプロピルエーテル、
ベンゾインエチルエーテル、
ステアリルリン酸、
チオジプロピオン酸ジステアリル、
トリフェニル、
トリフェニルホスフィン、
Ｎ−ベンジルアセトアミド、
トリアコンタン、
酢酸２−ナフチル、
オレイン酸亜鉛、
オレイン酸アミド、
インドリジン、
イソフタル酸ジメチル、
安息香酸エチレン、
安息香酸フェニル、
ｐ−ｔｅｒｔ−ブチルフェニルサリシレート、
ｐ−オクチルフェニルサリシレート、
２−ヒドロキシ−４−メトキシベンゾフェノン、
２，２’−ジヒドロキシ−４−メトキシベンゾフェノン、
２，６−ジ−ｔ−ブチル−４−メチルフェノール、
から選ばれた単体或いはこれらの混合物であるか、又は、
ポリメタクリル酸エチル、
ポリメタクリル酸−ｓｅｃ−ブチル、
クロマン・インデン共重合物、
ジ−ｎ−オクチルスズマレイン酸ポリマー、又は
アルキルフェノールホルムアルデヒド樹脂
から選ばれた合成高分子である。
【発明の効果】
【００１８】
本発明によれば、易融性物質を包み込むケーシングを、外側面の一部を各々含むように分割した複数の部材でなる分割ケーシングを形成し、この分割ケーシングの間に易融性物質を挟み込んだ組立構造の感熱体により、集熱フィンで受けた火災熱を分割ケーシングにより易融性物質の外周部、上面部及び下面部の少なくとも３面から効率良く伝えることができ、易融性物質への火災熱の伝達量を高め、火災時の感熱作動が速くなり、早期に確実に消火することができる。
【００１９】
また、感熱体の易融性物質として、５０℃乃至１５０℃の間に融点があり、長期間安定で毒性が低く、反応性の高い官能基や毒性を示す官能基がなく、水に溶解せず且つ昇華性がない無機化合物又は有機化合物を使用したことで、環境に優しく、また、人体等への悪影響を及ぼすことのない閉鎖型スプリンクラーヘッドを実現できる。
【発明を実施するための最良の形態】
【００２０】
図１は本発明による閉鎖型スプリンクラーヘッドの実施形態を示した説明図であり、図1（Ａ）に半断面図を、図１（Ｂ）に底面図を示している。図１において、本発明のスプリンクラーヘッドはボディ１とフレーム２で構成される。ボディ１の上部には給水管に接続する配管接続ネジ３が設けられ、内部にノズル４に至る流入路４ａを形成している。
【００２１】
ボディ１は下部に開口し、フレーム２をねじ込み固定している。フレーム２の内部には、デフレクターを一体に備えた弁体６がノズル４の開口部を閉鎖する位置に配置され、パッキン７によりシールしている。デフレクター５は周囲に放射状に分かれた水拡散部を複数備え、その外周側にデフレクターシャフト８を装着し、デフレクターシャフト８は延長ガイド９に挿入され、上部にストッパ８ａを形成している。延長ガイド９の内側となるボディ１とデフレクター５の間には作動バネ１０が組み込まれ、デフレクター５を介して弁体６を開方向に付勢している。
【００２２】
図２は図１のデフレクター５の組立て部分を取り出して示した説明図である。図２において、延長ガイド９の下部には、下端をデフレクター５の外周部に固定したデフレクターシャフト８が３本挿入されており、延長ガイド９内のストッパ８ａ（図１参照）により抜け止めされている。デフレクター５は中央に弁体６を一体に形成している。
【００２３】
再び図１を参照するに、フレーム２の開口側には感熱作動部１５が設けられる。感熱作動部１５はスペーサ１１、スライダ１２、ボール１３、バランサ１４、シャフト２１及びナット２２で構成され、フレーム２の開口部側に組み込んだ状態でフレーム２をボディ１にねじ込むことで弁体６をノズル４にパッキン７を介して当接した図示の閉鎖状態で組み込み固定される。
【００２４】
感熱体１６は上下に配置した断熱リング１７ａ，１７ｂを介して、シャフト２１の挿入に対する上部のナット２２のねじ込みによるスペーサ１１、スライダ１２、バランサ１４の挟み付け固定で感熱作動部１５に組み付けられている。
【００２５】
図３は図１の感熱体１６の組立分解図である。感熱体１６は上部ケーシング２４ａと下部ケーシング２４ｄで構成され、両者の組合せの際に、間に易融性物質２０をその全周を包む形で挟み付けるようにしている。
【００２６】
上部ケーシング２４ａは、中央部に上部に開口した中空円筒体の上面２５ａと４分割された外側面の相対する一対の外側面２６ａを一体に備えた形状を有し、外側面２６ａの下端部に扇型の集熱フィン１９ａを一体に形成している。更に上面２５ａの開口部内側には、４分割された内側面のうちの相対する一対の内側面２７ａを形成している。
【００２７】
下部ケーシング２４ｂは中央部に下面２５ｂを有し、下面２５ｂと一体に４分割された外側面のうちの上部ケーシング２４ａの外側面２６ａに直交する位置の一対の外側面２６ｂを一体に形成している。更に下面２５ｂの開口穴の内側には、一対の内側面２７ｂを形成している。また外側面２６ｂの端部には、上部ケーシング２４ａにおける集熱フィン１９ａの間に位置する一対の扇型の集熱フィン１９ｂが形成されている。
【００２８】
更に外側面２６ｂの集熱フィン１９ｂの付け根となる端部の位置には切欠２８が複数形成されている。この切欠２８は上部ケーシング２４ａについても形成されており、外側面２６ａを外側から見た場合に、集熱フィン１９ａの付け根となる部分に内側の切欠２８の形成により飛び出した部分を持っている。切欠２８は、集熱フィン１９と外側面２６との付け根部分の補強を行っている。
【００２９】
易融性物質２０は５０℃〜１５０℃の範囲に融点を持つ低融点合金、無機化合物または有機化合物であり、断面矩形のほぼドーナツ形状に形成されている。易融性物質２０の成形方法は、予め加熱溶融した易融性物質を断面矩形のドーナツ状の型に所定量流し込んで冷却して形成する。また易融性物質が削り加工できる大きさの部材として供給される場合は、削り加工によりドーナツ形状としてもよい。更に別の方法としては、粉末状の易融性物質を打錠機で打錠成形しても得られる。
【００３０】
図４は図１の感熱体１６の組立状態の説明図である。図３の組立分解図から明らかなように、内部にドーナツ形状を持つ易融性物質２０を組み込んだ状態で上部ケーシング２４ａと下部ケーシング２４ｂを上下方向に組み合わせることで、内部の易融性物質２０に対しケーシング側は、図３における易融性物質２０における上面２０ａ、下面２０ｂ、外側面２０ｃ及び内側面２０ｄの全てに、上部ケーシング２４ａ及び下部ケーシング２４ｂを全体的に包む形で挟み込むことができる。
【００３１】
図５は図１の感熱体１６の部分を取り出した断面図であり、特に感熱体１６における断面を切欠２８の形成部分について示している。感熱体１６における上部ケーシング２４ａ及び下部ケーシング２４ｂの組立てにより内部に全体を包む形で挟み込まれた易融性物質２０は、集熱フィン１９ａ，１９ｂで受けた火災熱を易融性物質２０の全周から伝えることができる。
【００３２】
易融性物質２０が火災熱の伝達を受けて設定された融点の温度に達すると溶け、組立荷重による圧縮力を受け、上部ケーシング２４ａと下部ケーシング２４ｂの組み込み時の隙間部分から外部に流れ落ち、易融性物質２０が流れ出すことでバランサ１４とスライダ１２の外側に配置し、フレーム２の内側の鍔部に対するボール１３による支持が解除され、感熱作動部１５が脱落して弁体６によるノズル４の閉鎖を解除し、加圧消火用水を放水することになる。
【００３３】
次に図１の実施形態における火災熱を受けた際の動作を説明する。本発明の閉鎖型スプリンクラーヘッドは、弁体６がノズル４を閉鎖した状態でスプリンクラー消火設備の給水管に接続されており、この状態で火災による熱気流を受けると、易融性物質２０の融点で決まる所定温度に達したときに感熱体１６の易融性物質２０が溶け、デフレクター５の下側に位置する感熱作動部１５が落下する。
【００３４】
ここで、火災による熱気流を受けた際に集熱フィン１９ａ，１９ｂで受けた火災熱は、中央に位置する上部ケーシング２４ａ及び下部ケーシング２４ｂに伝えられ、図３の組立分解図から明らかなように、上部ケーシング２４ａ，下部ケーシング２４ｂは中に挟み込んでいる易融性物質２０に対し、上面２０ａ，下面２０ｂ，外側面２０ｃ及び内側面２０ｄの４面に対する接触で火災熱を伝えることとなり、火災熱が非常に伝わり易い状態となっている。このため、火災が小さい段階で作動遅れを生ずることなく確実に易融性物質２０が溶けて、感熱作動部１５の落下により放水を行うことができる。
【００３５】
図６は図１の実施形態の感熱作動による放水状態の説明図である。火災熱の伝達を受けた感熱体１６のケーシング内の易融性物質２０は、融点で定まる温度に達したときに溶け、ケーシング間の僅かな隙間を通って易融性物質２０ａのように流出する。易融性物質２０ａが溶けて流出すると、フレーム２に対しバランサ１４が下降し、フレーム２の内側下端の鍔部に組み込んでいるボール１３に対する支持状態が解除され、給水圧力及び作動バネ１０の力を受けて感熱作動部１５がフレーム２から外れて落下する。
【００３６】
このため、ノズル４に押圧していた弁体６の支持が解除され、作動バネ１０の力でデフレクター５が押し下げられ、デフレクター５は外周側のデフレクターシャフト８のストッパ８ａが延長ガイド９の下部に当接する位置に落下して停止する。この状態でノズル４から放出された消火用水はデフレクター５に当接し、破線で示すように周囲に散水されることになる。
【００３７】
なお上記の実施形態にあっては、集熱フィン１９ａ、１９ｂは上部ケーシング２４ａ、下部ケーシング２４ｂと一体に形成しているが、一体とせずに別部品として、嵌め込みやカシメにより装着してもよい。
【００３８】
また集熱フィン１９ａ、１９ｂは、外側面２６ａ、２６ｂの最端部に限らず、図７に示すように、上面２５ａ、下面２５ｂと水平位置に設けてあっても良く、複数段のフィンを設けても良い。また集熱フィンの形状は扇形でなくても良い。
【００３９】
また本発明の感熱体１６は、内部に組み込む易融性物質２０の周囲を包み込むように挟み込む構造であれば、適宜の分割ケーシング構造を取ることができる。
【００４０】
また本発明は、上部、下部のケーシングの内側面２７ａ、２７ｂを設けているが、必ずしも設けていなくても良く、設けていない場合には易融性物質２０の上面、下面、外周面の３面で周囲を囲むこととなり、従来の２面の接触による熱伝導よりも早く火災時の放水を開始することができる。また、分割ケーシングの材料は上下の２部材に限られず、それ以上の数の部材になってもよい。
【００４１】
次に本発明の閉鎖型スプリンクラーヘッド１の感熱体１６に使用する易融性物質２０を詳細に説明すると次のようになる。また分割ケーシングの材料は上下の２部材に限られず、それ以上の数の部材となっても良い。
【００４２】
本発明の易融性物質２０は例えば無機化合物を使用する。易融性物質２０に使用する無機化合物は次の条件を満たす必要がある。
（１）５０℃乃至１５０℃の間に融点があること。
（２）長期間安定で毒性が低く、反応性の高い官能基や毒性を示す官能基がないこと。
（３）水に溶解しないこと。
（４）昇華性がないこと。
【００４３】
これ以外に図３のドーナッツ形状に成形した状態で感熱体１５に組み込まれて組込構造を維持する剛性を持つことは勿論である。
【００４４】
上記条件（２）に於いて、反応性の高い官能基とは例えばニトロ基、スルホン酸基等に見られる酸性反応を示す基や、アミノ基等のアルカリ性反応を示す基などがあり、感熱部の材質との腐食に通ずる反応や、空気中の例えばＳＯｘ、ＮＯｘ、ＣＯ2、Ｈ2Ｏ等との反応による変質のおそれがあるものをいう。また、強い毒性を示す基とは例えばシアノ基などがある。
【００４５】
条件（３）の水に溶解しないこととは、殆ど溶解しないものも含まれ、一般的に水に不溶であると表現されるレベルのものである。なお、以下に示す物質にはヒドロキシ基を有するものがあり、ヒドロキシ基は一般的に親水性を示す基であるが、本発明の化合物は、分子としては水不溶性を示すものを選んでいる。この水不溶性の性質により結露による水漏れや吸湿などによる変形や溶解、潮解等を防ぐことができる。
【００４６】
条件（４）の昇華性がないこととは、固体時の蒸気圧が殆どなく当然無臭であり、長期間の放置で質量が減少することを防ぐことができるものである。
【００４７】
このような（１）〜（４）の条件を満足する無機化合物としては、次のものがある。但し、括弧内は融点を示す。
ニヨウ化ニセレン（７０℃）
三塩化ガリウム（７６−８０℃）
【００４８】
また本発明の別の実施形態にあっては、易融性物質２０として例えば有機化合物を使用する。易融性物質２０に使用する有機化合物は無機化合物の場合と同様に次の条件を満たす必要がある。
（１）５０℃乃至１５０℃の間に融点があること。
（２）長期間安定で毒性が低く、反応性の高い官能基や毒性を示す官能基がないこと。
（３）水に溶解しないこと。
（４）昇華性がないこと。
【００４９】
これ以外に図２のドーナッツ形状に成形した状態で感熱体１６に組み込まれて組込構造を維持する剛性を持つことは勿論である。
【００５０】
このような（１）〜（４）の条件を満足する有機化合物としては、次のものがある。但し、括弧内は融点を示す。
α−モノステアリン（７４℃）、
β−モノステアリン（７５．２℃）、
α−モノパルミチン（６６．９℃）、
β−モノパルミチン（６８．５℃）、
２‘−メトキシアセトアセトアニリド（８３℃）、
４−（１−メチル−１−フェニルエチル）フェノール（７１−７３℃）、
ベンゾインイソプロピルエーテル（７７℃）、
ベンゾインエチルエーテル（５８−６０℃）、
ステアリルリン酸（７０℃）、
チオジプロピオン酸ジステアリル（５９℃）、
トリフェニル（８０℃）、
トリフェニルホスフィン（８２℃）、
Ｎ−ベンジルアセトアミド（６１℃）、
トリアコンタン（６５．８℃）、
酢酸２−ナフチル（７０℃）、
オレイン酸亜鉛（７０℃）、
オレイン酸アミド（７４℃）、
インドリジン（７５℃）、
イソフタル酸ジメチル（６８．５℃）、
安息香酸エチレン（７３℃）、
安息香酸フェニル（７１℃）、
ｐ−ｔｅｒｔ−ブチルフェニルサリシレート（６２−６４℃）、
ｐ−オクチルフェニルサリシレート（７２−７４℃）、
２−ヒドロキシ−４−メトキシベンゾフェノン（６３−６４℃）、
２，２’−ジヒドロキシ−４−メトキシベンゾフェノン（６８−７０℃）
２，６−ジ−ｔ−ブチル−４−メチルフェノール（６９℃）
から選ばれた単体或いはこれらの混合物である。
【００５１】
また本発明の易融性物質２０に使用する有機化合物としては、
ボリメタクリル酸エチル（６５℃）、
ポリメタクリル酸−ｓｅｃ−ブチル（６２℃）、
クロマン・インデン共重合物（７０℃）、
ジ−ｎ−オクチルスズマレイン酸ポリマー（８２−９３℃）、又は
アルキルフェノールホルムアルデヒド樹脂（７５−９０℃）
から選ばれた合成高分子を含む。
【００５２】
なお、本発明で感熱体１６の易融性物質２０に使用する無機化合物又は有機化合物としては、上記の実施例に限定されず、前記（１）〜（４）の条件を満足する適宜の無機化合物及び有機化合物を含むものである。
【００５３】
このように易融性物質２０を選択したことで、環境に優しく、また、人体等への悪影響を及ぼすことのない閉鎖型スプリンクラーヘッドを実現できる。
【図面の簡単な説明】
【００５４】
【図１】本発明の実施形態を示した説明図
【図２】図１のデフレクター組立部分を取り出して示した説明図
【図３】図１の感熱体の組立分解図
【図４】図１の感熱体の組立状態の説明図
【図５】図１の感熱体の部分の取り出した断面図
【図６】図１の実施形態の感熱作動の説明図
【図７】本発明における下部ケーシングの他の実施形態の説明図
【図８】従来の閉鎖型スプリンクラーヘッドの説明図
【符号の説明】
【００５５】
１：ボディ
２：フレーム
３：配管接続ネジ
４：ノズル
５：デフレクター
６：弁体
７：パッキン
８：デフレクターシャフト
８ａ：ストッパ
９：延長ガイド
１０：作動バネ
１１：スペーサ
１２：スライダ
１３：ボール
１４：バランサ
１５：感熱作動部
１６：感熱体
１７ａ，１７ｂ：断熱リング
１９ａ，１９ｂ：集熱フィン
２０：易融性物質
２１：シャフト
２２：ナット
２４ａ：上部ケーシング
２４ｂ：下部ケーシング
２５ａ：上面
２５ｂ：下面
２６ａ，２６ｂ：外側面
２７ａ，２７ｂ：内側面
２８：切欠
【図１】
2005304887.tif 000003
【図２】
2005304887.tif 000004
【図３】
2005304887.tif 000005
【図４】
2005304887.tif 000006
【図５】
2005304887.tif 000007
【図６】
2005304887.tif 000008
【図７】
2005304887.tif 000009
【図８】
2005304887.tif 000010